(57)【要約】【課題】サブディスプレイに表示される情報が利用者の手によって遮蔽されることを防ぐ。【解決手段】サブディスプレイ１０２は、表示情報を表示する。遮蔽検知センサ１０３は、サブディスプレイ１０２の何れの領域が遮蔽されたかを検知する。ＣＰＵ１０５は、サブディスプレイ１０２のうち遮蔽検知センサ１０３が遮蔽を検知していない領域内に表示情報を表示させる。【選択図】図９
2013164775.tif 000002
【特許請求の範囲】
【請求項１】
情報を表示するディスプレイと、
前記ディスプレイの何れの領域が遮蔽されたかを検知する遮蔽検知センサと、
前記ディスプレイのうち前記遮蔽検知センサが遮蔽を検知していない領域内に表示情報を表示させる表示制御装置と
を備えることを特徴とする携帯情報端末。
【請求項２】
前記遮蔽検知センサが遮蔽を検知した領域に変化が生じた場合、前記表示制御装置は、前記領域の変化前に表示させた表示情報と前記領域の変化後に表示させるべき表示情報とを補間する補間表示情報を前記ディスプレイに表示させた後に、前記領域の変化後に表示させるべき表示情報を前記ディスプレイに表示させる
ことを特徴とする請求項１に記載の携帯情報端末。
【請求項３】
前記遮蔽検知センサは、前記ディスプレイの各領域における遮蔽度を検知し、
前記表示制御装置は、前記表示情報を、前記遮蔽度が第１の閾値以下である領域内と、前記遮蔽度が前記第１の閾値より小さい第２の閾値以下である領域内とで切り替えて表示させる
ことを特徴とする請求項１または請求項２に記載の携帯情報端末。
【請求項４】
前記表示制御装置は、前記遮蔽度が前記第２の閾値以上前記第１の閾値未満の領域の前記遮蔽度の代表値が大きいほど、前記表示情報の切り替え速度を速くする
ことを特徴とする請求項３に記載の携帯情報端末。
【請求項５】
情報を表示するディスプレイと当該ディスプレイの何れの領域が遮蔽されたかを検知する遮蔽検知センサとを備える携帯情報端末において前記ディスプレイの表示の制御を行う表示制御装置であって、
前記ディスプレイのうち前記遮蔽検知センサが遮蔽を検知していない領域内に表示情報を表示させる
ことを特徴とする表示制御装置。
【請求項６】
前記遮蔽検知センサが遮蔽を検知した領域に変化が生じた場合、前記領域の変化前に表示させた表示情報と前記領域の変化後に表示させるべき表示情報とを補間する補間表示情報を前記ディスプレイに表示させた後に、前記領域の変化後に表示させるべき表示情報を前記ディスプレイに表示させる
ことを特徴とする請求項５に記載の表示制御装置。
【請求項７】
情報を表示するディスプレイと当該ディスプレイの何れの領域が遮蔽されたかを検知する遮蔽検知センサとを備える携帯情報端末の表示制御方法であって、
前記携帯情報端末の表示制御装置は、前記ディスプレイのうち前記遮蔽検知センサが遮蔽を検知していない領域内に表示情報を表示させる
ことを特徴とする表示制御方法。
【請求項８】
前記遮蔽検知センサが遮蔽を検知した領域に変化が生じた場合、前記表示制御装置が、前記領域の変化前に表示させた表示情報と前記領域の変化後に表示させるべき表示情報とを補間する補間表示情報を前記ディスプレイに表示させた後に、前記領域の変化後に表示させるべき表示情報を前記ディスプレイに表示させる
ことを特徴とする請求項７に記載の表示制御方法。
【請求項９】
情報を表示するディスプレイと当該ディスプレイの何れの領域が遮蔽されたかを検知する遮蔽検知センサとを備える携帯情報端末のコンピュータを、
前記ディスプレイのうち前記遮蔽検知センサが遮蔽を検知していない領域内に表示情報を表示させる表示制御装置
として機能させるためのプログラム。
【請求項１０】
前記携帯情報端末のコンピュータを、
前記遮蔽検知センサが遮蔽を検知した領域に変化が生じた場合に、前記領域の変化前に表示させた表示情報と前記領域の変化後に表示させるべき表示情報とを補間する補間表示情報を前記ディスプレイに表示させた後に、前記領域の変化後に表示させるべき表示情報を前記ディスプレイに表示させる表示制御装置
として機能させるための請求項９に記載のプログラム。
【発明の詳細な説明】
【技術分野】
【０００１】
本発明は、携帯情報端末、表示制御装置、携帯情報端末の表示制御方法、及びプログラムに関する。
【背景技術】
【０００２】
近年、メインディスプレイとサブディスプレイとを備える携帯情報端末が普及している（例えば、特許文献１〜３を参照）。このような携帯情報端末では、メインディスプレイを使用していないときに、利用者に対して着信や電子メールの受信等の通知のためにサブディスプレイが用いられている。他方、利用者が携帯情報端末のメインディスプレイを使用しているときは、サブディスプレイは使用されないことが多かった。
【０００３】
そこで、特許文献４には、携帯情報端末のサブディスプレイに広告コンテンツを表示する技術が開示されている。このように、利用者がメインディスプレイを使用しているときに、サブディスプレイに利用者以外の者に提示する情報を表示させることで、携帯情報端末に付加価値を与えることができる。
【先行技術文献】
【特許文献】
【０００４】
【特許文献１】特開２００７−２７２７６０号公報
【特許文献２】特開２００４−０６４２９５号公報
【特許文献３】特開２００３−１１５９１２号公報
【特許文献４】特開２００４−３３６５８１号公報
【発明の概要】
【発明が解決しようとする課題】
【０００５】
しかしながら、近年流通しているタブレット型の携帯情報端末にサブディスプレイを搭載した場合、携帯情報端末の把持によりサブディスプレイの一部が利用者の手によって遮蔽されてしまう可能性が高い。この場合、特許文献４に示す広告コンテンツなど、利用者以外の者に提示する情報をサブディスプレイに表示させたとしても、当該情報が隠されてしまい、第三者が当該情報を閲覧できなくなってしまうという問題がある。
【０００６】
本発明の目的は、上述した課題を解決する携帯情報端末、表示制御装置、表示制御方法、及びプログラムを提供することにある。
【課題を解決するための手段】
【０００７】
本発明は上記の課題を解決するためになされたものであり、情報を表示するディスプレイと、前記ディスプレイの何れの領域が遮蔽されたかを検知する遮蔽検知センサと、前記ディスプレイのうち前記遮蔽検知センサが遮蔽を検知していない領域内に表示情報を表示させる表示制御装置とを備えることを特徴とする。
【０００８】
また、本発明は、情報を表示するディスプレイと当該ディスプレイの何れの領域が遮蔽されたかを検知する遮蔽検知センサとを備える携帯情報端末において前記ディスプレイの表示の制御を行う表示制御装置であって、前記ディスプレイのうち前記遮蔽検知センサが遮蔽を検知していない領域内に表示情報を表示させることを特徴とする。
【０００９】
また、本発明は、情報を表示するディスプレイと当該ディスプレイの何れの領域が遮蔽されたかを検知する遮蔽検知センサとを備える携帯情報端末の表示制御方法であって、前記携帯情報端末の表示制御装置は、前記ディスプレイのうち前記遮蔽検知センサが遮蔽を検知していない領域内に表示情報を表示させることを特徴とする。
【００１０】
また、本発明は、情報を表示するディスプレイと当該ディスプレイの何れの領域が遮蔽されたかを検知する遮蔽検知センサとを備える携帯情報端末のコンピュータを、前記ディスプレイのうち前記遮蔽検知センサが遮蔽を検知していない領域内に表示情報を表示させる表示制御装置として機能させるためのプログラムである。
【発明の効果】
【００１１】
本発明によれば、ディスプレイに表示される情報が利用者の手によって遮蔽されることを防ぐことができる。
【図面の簡単な説明】
【００１２】
【図１】本発明の一実施形態による携帯情報端末の構成を示す概略ブロック図である。
【図２】第１の実施形態におけるＣＰＵの動作を示すフローチャートである。
【図３】第１の実施形態による表示情報のパターンの例を示す図である。
【図４】第２の実施形態におけるＣＰＵの動作を示すフローチャートである。
【図５】第２の実施形態においてマスコットと近接領域とが重複したときの動作の例を示す図である。
【図６】第２の実施形態において接触領域が変化したときの動作の例を示す図である。
【図７】第３の実施形態におけるＣＰＵの動作を示すフローチャートである。
【図８】第３の実施形態において遮蔽された領域が異なる場合のサブディスプレイの表示情報を示す図である。
【図９】本発明による携帯情報端末の基本構成を示す概略ブロック図である。
【発明を実施するための形態】
【００１３】
以下、図面を参照しながら本発明の実施形態について詳しく説明する。
図１は、本発明の一実施形態による携帯情報端末１００の構成を示す概略ブロック図である。
携帯情報端末１００は、メインディスプレイ１０１、サブディスプレイ１０２、遮蔽検知センサ１０３、記憶部１０４、ＣＰＵ１０５（Ｃｅｎｔｒａｌ  Ｐｒｏｃｅｓｓｉｎｇ  Ｕｎｉｔ、表示制御装置）を備える。
【００１４】
メインディスプレイ１０１は、携帯情報端末１００の筐体の一面である前面に設けられ、利用者に提示する情報（例えば、アプリケーションの実行画面やメニュー画面）を表示する。
サブディスプレイ１０２は、前面に相反する面である背面に設けられ、メインディスプレイ１０１の非使用時に、利用者に提示する情報（例えば、着信や電子メールの受信の通知画面）を表示する。他方、サブディスプレイ１０２は、メインディスプレイ１０１の使用時に、利用者以外の者に提示する情報（例えば、利用者が予め登録したメッセージや起動中のアプリケーション名）を表示する。
【００１５】
遮蔽検知センサ１０３は、サブディスプレイ１０２に重畳して設けられ、サブディスプレイ１０２の各領域（例えば、画素ごと）の遮蔽の度合いを示す遮蔽度を出力する。遮蔽検知センサ１０３としては、例えば静電容量センサや光学センサを用いることができる。つまり、遮蔽検知センサ１０３として静電容量センサを用いる場合、利用者の指などがサブディスプレイ１０２に接触または近接すると、その点の静電容量が増加する。また、遮蔽検知センサ１０３として光学センサを用いる場合、利用者の指などがサブディスプレイ１０２に接触または近接すると、その点の受光量が減少する。利用者の指がサブディスプレイ１０２に接触または近接しているということは、つまりサブディスプレイ１０２が遮蔽されていることであるため、静電容量や受光量を、遮蔽度として用いることができる。
【００１６】
記憶部１０４は、サブディスプレイ１０２の表示情報を制御する表示制御プログラム、ＣＰＵ１０５に実行させるアプリケーションプログラム、及び利用者の特性を示す特性情報を記憶する。
ＣＰＵ１０５は、記憶部１０４が記憶するプログラムを実行する。
以下に、ＣＰＵ１０５が実行する表示制御プログラムの例を、実施形態としていくつか説明する。
【００１７】
《第１の実施形態》
ＣＰＵ１０５は、第１の実施形態による表示制御プログラムを実行することで、サブディスプレイ１０２に、現在実行中のアプリケーションプログラムに関する表示情報を表示させる。このとき、ＣＰＵ１０５は、利用者が筐体を把持することでサブディスプレイ１０２の一部が遮蔽された場合、サブディスプレイ１０２に表示させる表示情報の複数種類のパターンの中から、遮蔽されていない領域の大きさに合ったパターンで表示情報を生成する。
【００１８】
次に、ＣＰＵ１０５が第１の実施形態による表示制御プログラムを実行したときの動作について説明する。
図２は、第１の実施形態におけるＣＰＵ１０５の動作を示すフローチャートである。
まず、ＣＰＵ１０５は、遮蔽検知センサ１０３からサブディスプレイ１０２の各領域の遮蔽度を取得する（ステップＳ１）。次に、ＣＰＵ１０５は、遮蔽検知センサ１０３から取得した遮蔽度が所定の閾値未満の領域、すなわち遮蔽検知センサ１０３が遮蔽を検知していない領域を特定する（ステップＳ２）。
【００１９】
次に、ＣＰＵ１０５は、遮蔽を検知していない領域の、サブディスプレイ１０２の全領域に対する割合を算出する（ステップＳ３）。次に、ＣＰＵ１０５は、遮蔽を検知していない領域の割合に応じて、サブディスプレイ１０２に表示させる表示情報のパターンを決定する。表示情報のパターンとしては、例えば、メインディスプレイ１０１に表示されているアプリケーションプログラムのアイコンを表示するパターン、アプリケーションプログラムに対して利用者が入力した情報を表示するパターン、アプリケーションプログラムのアイコンと入力した情報とを併せて表示するパターンが挙げられる。つまり、ＣＰＵ１０５は、遮蔽を検知していない領域の面積に応じて、表示情報とする情報を取捨選択する。
具体的なパターンの決定方法は、以下の通りである。
【００２０】
図３は、第１の実施形態による表示情報のパターンの例を示す図である。
まず、ＣＰＵ１０５は、ステップＳ３で算出した遮蔽を検知していない領域の割合が、５０％未満であるか、５０％以上８０％未満であるか、８０％以上であるかを判定する（ステップＳ４）。
ＣＰＵ１０５は、遮蔽を検知していない領域の割合が８０％以上であると判定した場合（ステップＳ４：８０％≦割合）、表示情報のパターンとして、図３（Ａ）に示すように、アプリケーションプログラムのアイコンと入力した情報とを併せて表示するパターンを用いることを決定する（ステップＳ５）。
また、ＣＰＵ１０５は、遮蔽を検知していない領域の割合が５０％以上８０％未満であると判定した場合（ステップＳ４：５０％≦割合＜８０％）、表示情報のパターンとして、図３（Ｂ）に示すように、アプリケーションプログラムに対して利用者が入力した情報を表示するパターンを用いることを決定する（ステップＳ６）。
また、ＣＰＵ１０５は、遮蔽を検知していない領域の割合が５０％未満であると判定した場合（ステップＳ４：割合＜５０％）、表示情報のパターンとして、図３（Ｃ）に示すように、アプリケーションプログラムのアイコンを表示するパターンを用いることを決定する（ステップＳ７）。
【００２１】
次に、ＣＰＵ１０５は、ステップＳ５〜Ｓ７のいずれかで決定したパターンに、アプリケーションプログラムの情報を当てはめることで表示情報を生成する（ステップＳ８）。次に、ＣＰＵ１０５は、当該表示情報の大きさが、遮蔽を検知していない領域の大きさになるよう、表示情報の拡大または縮小を行う（ステップＳ９）。そして、ＣＰＵ１０５は、当該拡大または縮小した表示情報をサブディスプレイ１０２の遮蔽されていない領域に表示させる。
【００２２】
このように、本実施形態によれば、サブディスプレイ１０２のうち遮蔽されていない空間に、表示情報を表示させることができる。これにより、サブディスプレイ１０２に表示される表示情報が利用者の手によって遮蔽されることを防ぐことができる。また、本実施形態によれば、遮蔽検知センサ１０３が遮蔽を検知していない領域の割合に応じて表示する内容を変更する。これにより、外部から視認できる範囲の大きさに適した内容の表示情報をサブディスプレイ１０２に表示させることができる。
【００２３】
なお、本実施形態では、表示情報としてアプリケーションの情報を表示させる場合について説明したが、これに限られない。例えば、表示情報として予め記憶部１０４に記録した特性情報（たとえば、利用者のブログのＵＲＬ（Ｕｎｉｆｏｒｍ  Ｒｅｓｏｕｒｃｅ  Ｌｏｃａｔｏｒ）、利用者の体重、「彼女募集中！」、「初めて大阪に来ました」などのメッセージ）を表示させても良い。
【００２４】
また、本実施形態では、表示情報のパターンとして、アイコンと入力情報を表示するパターン、入力情報を表示するパターン、アイコンを表示するパターンの３種類を用いる場合を説明したが、パターンの数及び内容はこれに限られない。
また、本実施形態では、遮蔽を検知していない領域の割合が５０％未満であるか、５０％以上８０％未満であるか、８０％以上であるかによってパターンを決定する場合を説明したが、判定に用いる閾値は５０％・８０％に限られない。
【００２５】
《第２の実施形態》
ＣＰＵ１０５は、第２の実施形態による表示制御プログラムを実行することで、サブディスプレイ１０２に、所定のマスコットを含む表示情報を表示させる。このとき、ＣＰＵ１０５は、利用者が筐体を把持することでサブディスプレイ１０２の一部が遮蔽された場合、または遮蔽された領域が変化した場合、これに合わせてマスコットを変形させる。
【００２６】
なお、第２の実施形態の表示制御プログラムを実行する場合、記憶部１０４に、予め表示させるマスコットの動作パターンを記憶させておく。なお、マスコットの動作パターンは、定常パターンと遷移パターンとに区分される。定常パターンは、遮蔽された領域に変化が無いときのマスコットの動作パターンであり、例えば、正立しているパターン、座っているパターン、伏せているパターンなどが挙げられる。他方、遷移パターンは、遮蔽された領域に変化があったときのマスコットの動作パターンであって、例えば、よじ登るパターン、落下するパターン、しゃがむパターン、立ち上がるパターンなどが挙げられる。なお、遷移パターンは、ある定常パターンと他の定常パターンとの間を補間する動作パターンであり、遷移前の定常パターン及び位置と、遷移後の定常パターン及び位置とに関連付けて、記憶部１０４に記憶される。
【００２７】
次に、ＣＰＵ１０５が第２の実施形態による表示制御プログラムを実行したときの動作について説明する。
図４は、第２の実施形態におけるＣＰＵ１０５の動作を示すフローチャートである。
まず、ＣＰＵ１０５は、遮蔽検知センサ１０３からサブディスプレイ１０２の各領域の遮蔽度を取得する（ステップＳ１０１）。次に、ＣＰＵ１０５は、遮蔽検知センサ１０３から取得した遮蔽度が所定の閾値（以下、第１の閾値という）未満の領域、すなわち遮蔽検知センサ１０３が遮蔽を検知していない領域を特定する（ステップＳ１０２）。なお、遮蔽度が第１の閾値以上であると判定されるのは、サブディスプレイ１０２と利用者とが接触している場合である。
【００２８】
次に、ＣＰＵ１０５は、記憶部１０４が記憶する定常パターンのうち、利用者と接触していない領域（以下、非接触領域という）の大きさに適したものを選択し、当該選択した定常パターンのマスコットを含む表示情報を、サブディスプレイ１０２に表示させる（ステップＳ１０３）。ここで、非接触領域の大きさに適した定常パターンとは、当該定常パターンでマスコットを動作させたときのマスコットの高さ及び幅が、サブディスプレイ１０２のうち非接触領域内に収まるもののことである。
【００２９】
次に、ＣＰＵ１０５は、ステップＳ１０１で取得した遮蔽度のうち、遮蔽検知センサ１０３から取得した遮蔽度が、第１の閾値より小さい第２の閾値以上であり、かつ第１の閾値未満の領域を特定する（ステップＳ１０４）。これにより、ＣＰＵ１０５は、サブディスプレイ１０２のうち利用者と近接している領域（以下、近接領域という）を特定する。次に、ＣＰＵ１０５は、ステップＳ１０３でサブディスプレイ１０２に表示させたマスコットとステップＳ１０４で特定した近接領域とが重複する部分が存在するか否かを判定する（ステップＳ１０５）。
【００３０】
ＣＰＵ１０５は、マスコットと近接領域とが重複する部分が存在すると判定した場合（ステップＳ１０５：ＹＥＳ）、記憶部１０４が記憶する定常パターンのうち、非接触領域から近接領域を除いた領域（以下、非近接領域という）の大きさに適したものを選択する（ステップＳ１０６）。次に、ＣＰＵ１０５は、記憶部１０４が記憶する遷移パターンのうち、現在表示しているマスコットの動作パターンとステップＳ１０６で選択した定常パターンとを補間するもの（第１の遷移パターン）、及びステップＳ１０６で選択した定常パターンと現在表示しているマスコットの動作パターンとを補間するもの（第２の遷移パターン）を選択する（ステップＳ１０７）。そして、ＣＰＵ１０５は、現在表示している表示情報、第１の遷移パターンで動作するマスコットを含む表示情報、ステップＳ１０８で選択した定常パターンで動作するマスコットを含む表示情報、及び第２の遷移パターンで動作するマスコットを含む表示情報を、当該順番で、所定の間隔でサブディスプレイ１０２に繰り返し表示させる（ステップＳ１０８）。つまり、ＣＰＵ１０５は、表示情報を、非接触領域内と非近接領域内とで切り替えて表示させる。なお、ＣＰＵ１０５は、ステップＳ１０４で特定した近接領域の遮蔽度の平均値が高いほど、当該４つの表示情報を繰り返し表示させる時間間隔を短くする。
【００３１】
図５は、第２の実施形態においてマスコットと近接領域とが重複したときの動作の例を示す図である。
図５（Ａ）に示すように、ステップＳ１０５においてマスコットと近接領域とが重複する部分が存在する場合、ＣＰＵ１０５は、ステップＳ１０６において、図５（Ｃ）に示すように、非近接領域の大きさに適した定常パターンを選択する。次に、ＣＰＵ１０５は、ステップＳ１０７において、図５（Ｂ）、図５（Ｄ）に示すように、２つの定常パターンの間を補間する遷移パターンを選択し、これらを順番にサブディスプレイ１０２に表示させる。
これにより、サブディスプレイ１０２に表示されるマスコットは、近接状態と接触状態、非接触状態の組み合わせを表示情報に反映して、移動するか否かを迷うような挙動を取ることになり、携帯情報端末１００の状態情報を分かりやすく表示することができる。
【００３２】
ステップＳ１０５において、マスコットと近接領域とが重複する部分が存在しない場合（ステップＳ１０５：ＮＯ）、またはステップＳ１０８においてＣＰＵ１０５がサブディスプレイ１０２への表示情報を繰り返し表示している場合、次に、ＣＰＵ１０５は、遮蔽検知センサ１０３からサブディスプレイ１０２の各領域の遮蔽度を取得する（ステップＳ１０９）。次に、ＣＰＵ１０５は、遮蔽検知センサ１０３から取得した遮蔽度が第１の閾値以上の領域、すなわちサブディスプレイ１０２のうち利用者と接触している領域（以下、非接触領域という）、及び非接触領域を特定する（ステップＳ１１０）。次に、ＣＰＵ１０５は、ステップＳ１０３でサブディスプレイ１０２に表示させたマスコットとステップＳ１１０で特定した接触領域とが重複する部分が存在するか否かを判定する（ステップＳ１１１）。
【００３３】
ＣＰＵ１０５は、マスコットと接触領域とが重複する部分が存在しないと判定した場合（ステップＳ１１１：ＮＯ）、ステップＳ１０４に戻り、近接領域の判定を行う。
他方、ＣＰＵ１０５は、マスコットと接触領域とが重複する部分が存在すると判定した場合（ステップＳ１１１：ＹＥＳ）、記憶部１０４が記憶する定常パターンのうち、ステップＳ１１０で特定した非接触領域の大きさに適したものを選択する（ステップＳ１１２）。次に、ＣＰＵ１０５は、記憶部１０４が記憶する遷移パターンのうち、現在表示している表示情報（接触領域の変化前に表示させた表示情報）に含まれるマスコットの動作パターンとステップＳ１１２で選択した定常パターンとを補間するものを選択する（ステップＳ１１３）。そして、ＣＰＵ１０５は、ステップＳ１１３で選択した遷移パターンで動作するマスコットを含む表示情報（補間表示情報）をサブディスプレイ１０２に表示した後に、ステップＳ１１２で選択した定常パターンで動作するマスコットを含む表示情報（接触領域の変化後に表示させるべき表示情報）を、サブディスプレイ１０２に表示させる（ステップＳ１１４）。以降、ステップＳ１０４に戻り、近接領域の判定を行う。
【００３４】
図６は、第２の実施形態において接触領域が変化したときの動作の例を示す図である。
接触領域が、図６（Ａ）に示す領域から図６（Ｂ）に示す領域に変化した場合、ＣＰＵ１０５はステップＳ１１２で、図６（Ｄ）に示すように、非接触領域の大きさに適した定常パターンを選択する。次に、ＣＰＵ１０５は、ステップＳ１１３において、図６（Ｃ）に示すように、２つの定常パターンの間を補間する遷移パターンを選択する。そして、ＣＰＵ１０５は、図６（Ｃ）に示す遷移パターンのマスコットを含む表示情報を表示させた後に、図６（Ｄ）に示す定常パターンのマスコットを含む表示情報を表示させる。
【００３５】
このように、本実施形態によれば、サブディスプレイ１０２に表示されたマスコットが利用者との接触により遮蔽された場合にも、マスコットの全身を外部から視認可能に保つことができる。特に、ＣＰＵ１０５が、現在の表示情報と接触領域の変化後に表示させる表示情報とを補間する遷移パターンで動作するマスコットを含む表示情報をサブディスプレイ１０２に表示させることで、違和感無く外部から視認可能な位置にマスコットを移動させることができる。
【００３６】
なお、本実施形態では、サブディスプレイ１０２にマスコットのみを表示させる場合について説明したが、これに限られない。例えば第１の実施形態のように、マスコットの吹き出しにアプリケーションプログラムへの入力情報を表示させても良いし、また遮蔽を検知していない領域の大きさに応じて、当該入力情報の表示の可否を決定するようにしても良い。
また、例えば実行中のアプリケーションプログラムに合わせてマスコットの動作を変更する（例えば、通話アプリケーションの動作中に、マスコットが通話している表示パターンをサブディスプレイ１０２に表示させる）ようにしても良い。
【００３７】
また、本実施形態では、ＣＰＵ１０５は、ステップＳ１０４で特定した近接領域の遮蔽度の平均値が高いほど、表示情報を繰り返し表示させる時間間隔を短くする場合について説明したが、これに限られない。例えば、近接領域の遮蔽度の中央値や最大値、最小値など、他の代表値に基づいて時間間隔を決定するようにしても良い。
【００３８】
《第３の実施形態》
ＣＰＵ１０５は、第３の実施形態による表示制御プログラムを実行することで、サブディスプレイ１０２に、携帯情報端末１００にインストールされているアプリケーションプログラムのアイコンを含む表示情報を表示させる。このとき、ＣＰＵ１０５は、利用者が筐体を把持することでサブディスプレイ１０２の一部が遮蔽された場合、遮蔽されていない領域内に収まるよう、アイコンの取捨選択を行う。
【００３９】
次に、ＣＰＵ１０５が第３の実施形態による表示制御プログラムを実行したときの動作について説明する。
図７は、第３の実施形態におけるＣＰＵ１０５の動作を示すフローチャートである。
まず、ＣＰＵ１０５は、遮蔽検知センサ１０３からサブディスプレイ１０２の各領域の遮蔽度を取得する（ステップＳ２０１）。次に、ＣＰＵ１０５は、遮蔽検知センサ１０３から取得した遮蔽度が所定の閾値未満の領域、すなわち遮蔽検知センサ１０３が遮蔽を検知していない領域を特定する（ステップＳ２０２）。
【００４０】
次に、ＣＰＵ１０５は、遮蔽を検知していない領域の大きさ及び形状から、サブディスプレイ１０２の遮蔽されていない領域に表示できるアイコンの数を特定する（ステップＳ２０３）。具体的には、サブディスプレイ１０２に表示するアイコンの縦及び横のサイズ、及びアイコン間のスペースの最低限の大きさは決まっているため、アイコンのサイズとスペースのサイズに基づいて、表示できるアイコンの数を特定する。
【００４１】
次に、ＣＰＵ１０５は、記憶部１０４が記憶するアプリケーションプログラムのうち、使用頻度が高い順に、ステップＳ２０３で特定した数のアプリケーションプログラムを特定し、そのアイコンを取得する（ステップＳ２０４）。次に、ＣＰＵ１０５は、サブディスプレイ１０２の遮蔽されていない領域に、ステップＳ２０４で選択したアイコンを並べて表示させる（ステップＳ２０５）。
【００４２】
次に、ＣＰＵ１０５は、ステップＳ２０４で特定したアプリケーションプログラムの中に、現在実行中のアプリケーションプログラムが存在するか否かを判定する（ステップＳ２０６）。ＣＰＵ１０５は、特定したアプリケーションプログラムの中に現在実行中のものが存在しないと判定した場合（ステップＳ２０６：ＮＯ）、処理を終了する。
他方、ＣＰＵ１０５は、特定したアプリケーションプログラムの中に現在実行中のものが存在すると判定した場合（ステップＳ２０６：ＹＥＳ）、ステップＳ２０５で表示させたアイコンのうち、当該アプリケーションプログラムを示すものを点滅させ（ステップＳ２０７）、処理を終了する。
【００４３】
図８は、第３の実施形態において遮蔽された領域が異なる場合のサブディスプレイ１０２の表示情報を示す図である。
サブディスプレイ１０２が遮蔽されていない場合、図８（Ａ）に示すように、サブディスプレイ１０２に表示できるアイコンの数は１５である。そのため、ステップＳ２０４において使用頻度が高い１５個のアイコンを取得し、これをステップＳ２０５で、図８（Ａ）に示すように表示する。
他方、サブディスプレイ１０２が図８（Ｂ）に示すように遮蔽されている場合、図８（Ｂ）に示すように、サブディスプレイ１０２に表示できるアイコンの数は７である。そのため、ステップＳ２０４において使用頻度が高い７個のアイコンを取得し、これをステップＳ２０５で、図８（Ｂ）に示すように表示する。
なお、図８（Ａ）、図８（Ｂ）では、共に電子メールアプリケーションの実行中であるため、電子メールアプリケーションを示すアイコンが点滅している。
【００４４】
このように、本実施形態によれば、利用者の趣味・嗜好を示す、使用頻度が高いアプリケーションプログラムを、外部から視認可能な位置に表示させることで、サブディスプレイ１０２に表示されたアイコンによって、利用者の人柄を他人に示すことができる。また、現在実行中のアプリケーションプログラムのアイコンを点滅させることにより、利用者が現在どのアプリケーションプログラムを使用しているかを他人に示すことができる。
【００４５】
以上、図面を参照してこの発明の第１の実施形態から第３の実施形態について詳しく説明してきたが、具体的な構成は上述のものに限られることはなく、この発明の要旨を逸脱しない範囲内において様々な設計変更等をすることが可能である。
【００４６】
《基本構成》
図９は、本発明による携帯情報端末１００の基本構成を示す概略ブロック図である。
上述した実施形態では、本発明による携帯情報端末１００の一実施形態として図１に示す構成について説明したが、本発明による携帯情報端末１００の基本構成は、図９に示すとおりである。
すなわち、本発明による携帯情報端末１００は、サブディスプレイ１０２、遮蔽検知センサ１０３、及びＣＰＵ１０５を基本構成とする。
【００４７】
サブディスプレイ１０２は、表示情報を表示する。遮蔽検知センサ１０３は、サブディスプレイ１０２の何れの領域が遮蔽されたかを検知する。表示制御装置は、サブディスプレイ１０２のうち遮蔽検知センサ１０３が遮蔽を検知していない領域内に表示情報を表示させる。
これにより、携帯情報端末１００は、ディスプレイに表示される情報が利用者の手によって遮蔽されることを防ぐことができる。
【００４８】
上記の実施形態の一部又は全部は、以下の付記のようにも記載されうるが、以下には限られない。
【００４９】
（付記１）
情報を表示するディスプレイと、
前記ディスプレイの何れの領域が遮蔽されたかを検知する遮蔽検知センサと、
前記ディスプレイのうち前記遮蔽検知センサが遮蔽を検知していない領域内に表示情報を表示させる表示制御装置と
を備えることを特徴とする携帯情報端末。
【００５０】
（付記２）
前記遮蔽検知センサが遮蔽を検知した領域に変化が生じた場合、前記表示制御装置は、前記領域の変化前に表示させた表示情報と前記領域の変化後に表示させるべき表示情報とを補間する補間表示情報を前記ディスプレイに表示させた後に、前記領域の変化後に表示させるべき表示情報を前記ディスプレイに表示させる
ことを特徴とする付記１に記載の携帯情報端末。
【００５１】
（付記３）
前記遮蔽検知センサは、前記ディスプレイの各領域における遮蔽度を検知し、
前記表示制御装置は、前記表示情報を、前記遮蔽度が第１の閾値以下である領域内と、前記遮蔽度が前記第１の閾値より小さい第２の閾値以下である領域内とで切り替えて表示させる
ことを特徴とする付記１または付記２に記載の携帯情報端末。
【００５２】
（付記４）
前記表示制御装置は、前記遮蔽度が前記第２の閾値以上前記第１の閾値未満の領域の前記遮蔽度の代表値が大きいほど、前記表示情報の切り替え速度を速くする
ことを特徴とする付記３に記載の携帯情報端末。
【００５３】
（付記５）
情報を表示するディスプレイと当該ディスプレイの何れの領域が遮蔽されたかを検知する遮蔽検知センサとを備える携帯情報端末において前記ディスプレイの表示の制御を行う表示制御装置であって、
前記ディスプレイのうち前記遮蔽検知センサが遮蔽を検知していない領域内に表示情報を表示させる
ことを特徴とする表示制御装置。
【００５４】
（付記６）
前記遮蔽検知センサが遮蔽を検知した領域に変化が生じた場合、前記領域の変化前に表示させた表示情報と前記領域の変化後に表示させるべき表示情報とを補間する補間表示情報を前記ディスプレイに表示させた後に、前記領域の変化後に表示させるべき表示情報を前記ディスプレイに表示させる
ことを特徴とする付記５に記載の表示制御装置。
【００５５】
（付記７）
情報を表示するディスプレイと当該ディスプレイの何れの領域が遮蔽されたかを検知する遮蔽検知センサとを備える携帯情報端末の表示制御方法であって、
前記携帯情報端末の表示制御装置は、前記ディスプレイのうち前記遮蔽検知センサが遮蔽を検知していない領域内に表示情報を表示させる
ことを特徴とする表示制御方法。
【００５６】
（付記８）
前記遮蔽検知センサが遮蔽を検知した領域に変化が生じた場合、前記表示制御装置が、前記領域の変化前に表示させた表示情報と前記領域の変化後に表示させるべき表示情報とを補間する補間表示情報を前記ディスプレイに表示させた後に、前記領域の変化後に表示させるべき表示情報を前記ディスプレイに表示させる
ことを特徴とする付記７に記載の表示制御方法。
【００５７】
（付記９）
情報を表示するディスプレイと当該ディスプレイの何れの領域が遮蔽されたかを検知する遮蔽検知センサとを備える携帯情報端末のコンピュータを、
前記ディスプレイのうち前記遮蔽検知センサが遮蔽を検知していない領域内に表示情報を表示させる表示制御装置
として機能させるためのプログラム。
【００５８】
（付記１０）
前記携帯情報端末のコンピュータを、
前記遮蔽検知センサが遮蔽を検知した領域に変化が生じた場合に、前記領域の変化前に表示させた表示情報と前記領域の変化後に表示させるべき表示情報とを補間する補間表示情報を前記ディスプレイに表示させた後に、前記領域の変化後に表示させるべき表示情報を前記ディスプレイに表示させる表示制御装置
として機能させるための付記９に記載のプログラム。
【符号の説明】
【００５９】
１００…携帯情報端末  １０１…メインディスプレイ  １０２…サブディスプレイ  １０３…遮蔽検知センサ  １０４…記憶部  １０５…ＣＰＵ
【図１】
2013164775.tif 000003
【図２】
2013164775.tif 000004
【図３】
2013164775.tif 000005
【図４】
2013164775.tif 000006
【図５】
2013164775.tif 000007
【図６】
2013164775.tif 000008
【図７】
2013164775.tif 000009
【図８】
2013164775.tif 000010
【図９】
2013164775.tif 000011